(57)【要約】【課題】映像信号を受信装置へ送信後、音声信号を出力するまでの時間である補正時間を決定し、映像信号が受信装置において表示されるタイミングと音声が視聴者に到達するタイミングとを補正時間によって一致させることが可能な映像音声処理装置を提供すること。【解決手段】  映像音声処理装置は、映像音声処理装置から出力される音声が、映像音声処理装置に接続される各音声出力装置から視聴者に到達するまでの時間である第１遅延時間を測定し、さらに映像音声処理装置は、音声信号と、送信装置から送信される映像信号とを受信装置へ送信し、受信装置の音声出力部から出力される音声が視聴者の位置に到達するまでの時間である第２遅延時間を測定する。映像音声処理装置は、送信装置から映像信号及び音声信号を受信したとき、映像信号を受信装置へ送信してから、第２遅延時間と第１遅延時間とから計算される補正時間経過後に、音声出力装置へ音声信号を送信する。【選択図】図１
2013143706.tif 000002
【特許請求の範囲】
【請求項１】
映像及び音声信号を送信する送信装置と、前記映像及び音声信号を受信する受信装置とに接続可能な映像音声処理装置であって、
１または複数の音声出力装置が接続可能であり、前記音声出力装置へ前記音声信号を出力する音声出力手段と、
前記音声出力装置から出力される音声を検出する音声検出手段と、
前記音声出力手段が前記音声信号を前記音声出力装置へ出力した時、前記音声検出手段が前記音声を検出するまでの時間である第１遅延時間を各前記音声出力装置について測定する第１遅延時間測定手段と、
音声信号、及び、前記送信装置から送信される前記映像信号を前記受信装置へ送信する送信手段と、
前記送信手段が前記映像信号及び音声信号を前記受信装置へ送信した時、前記音声検出手段が前記受信装置の音声出力部から出力される前記音声を検出するまでの時間である第２遅延時間を測定する第２遅延時間測定手段と、
各前記音声出力装置について前記第１遅延時間と前記第２遅延時間とによって決定される時間である補正時間を決定する補正時間決定手段とを備え、
前記送信装置から前記映像信号及び音声信号を受信したとき、前記受信装置へ前記映像信号を送信した時から、各々の前記音声出力装置に対して前記補正時間が経過した時、前記音声出力手段が、前記音声信号を各前記音声出力装置へ出力する、映像音声処理装置。
【請求項２】
前記受信装置から、前記受信装置が出力可能な前記映像信号のパラメータを取得するパラメータ取得手段と、
前記パラメータに応じた前記映像信号を送信するよう前記送信装置に指示する送信指示手段と、
前記送信装置から送信される前記映像信号の前記パラメータを特定する特定手段とをさらに備え、
前記第２遅延時間測定手段が、前記第２遅延時間を、各前記パラメータの映像信号について測定し、
前記補正時間決定手段が、前記音声出力装置毎の前記補正時間を各前記パラメータの映像信号について決定し、
前記音声出力手段が、前記受信装置へ前記映像信号を送信した時から、各々の前記音声出力装置に対して、前記特定手段によって特定される前記パラメータに対応する前記補正時間が経過した時、前記音声信号を各前記音声出力装置へ出力する、請求項１に記載の映像音声処理装置。
【請求項３】
前記受信装置が設定可能な表示モードの一覧を取得する表示モード取得手段と、
前記受信装置に前記表示モードを設定するように指示する表示モード設定手段と、
前記受信装置に設定されている前記表示モードを特定する表示モード特定手段とをさらに備え、
前記第２遅延時間測定手段が、前記表示モード毎に、前記第２遅延時間を測定し、
前記補正時間決定手段が、前記音声出力装置の前記補正時間を各前記表示モードについて決定し、
前記音声出力手段が、前記受信装置へ前記映像信号を送信した時から、各々の前記音声出力装置に対して、前記表示モード特定手段によって特定される前記表示モードに対応する前記補正時間が経過した時、前記音声信号を各前記音声出力装置へ出力する、請求項１または２のいずれかに記載の映像音声処理装置。
【請求項４】
映像及び音声信号を送信する送信装置と、前記映像及び音声信号を受信する受信装置とに接続可能な映像音声処理装置であって、
１または複数の音声出力装置が接続可能であり、前記音声出力装置へ前記音声信号を出力する音声出力手段と、
前記音声出力装置から出力される音声を検出する音声検出手段と、
音声信号、及び、前記送信装置から送信される前記映像信号を前記受信装置へ送信する送信手段と、
ユーザ操作によって映像及び音声の同期指示を受信する同期受信手段と、
前記送信手段が、音声信号、及び、前記映像音声処理装置が受信中の前記映像信号を前記受信装置へ送信し、前記音声出力手段が前記音声信号を前記音声出力装置へ出力した時から、前記音声検出手段が前記音声を検出するまでの時間である第１遅延時間を各前記音声出力装置について測定する第１遅延時間測定手段と、
前記同期指示を受信したとき、前記送信手段が前記映像信号及び音声信号を前記受信装置へ送信した時から、前記音声検出手段が前記受信装置の音声出力部から出力される前記音声を検出するまでの時間である第２遅延時間を測定する第２遅延時間測定手段と、
各前記音声出力装置について前記第１遅延時間と前記第２遅延時間とによって決定される時間である補正時間を決定する補正時間決定手段とを備え、
前記音声出力手段が、前記受信装置へ前記映像信号を送信した時から前記補正時間が経過した時、前記音声信号を前記音声出力装置へ出力する、映像音声処理装置。
【請求項５】
前記同期指示が入力されたとき、前記送信装置が出力している前記映像信号または音声信号の再生位置を取得するレジューム位置取得手段と、
前記補正時間が決定された後、前記レジューム位置取得手段によって取得された位置から、前記映像信号及び前記音声信号を出力するよう前記送信装置に指示するレジューム指示手段とをさらに備える、請求項５に記載の映像音声処理装置。
【請求項６】
請求項１〜５のいずれかに記載の映像音声処理装置の各手段を前記映像音声処理装置に実行させる、映像音声処理プログラム。
【発明の詳細な説明】
【技術分野】
【０００１】
本発明は、シンク機器とソース機器とに接続可能な映像音声処理装置に関する。
【背景技術】
【０００２】
近年、ＤＶＤプレーヤやＢｌｕ―ｒａｙ（登録商標。以下、Ｂｌｕ―ｒａｙという。）プレーヤ等の送信機器（以下、ソース機器という。）と、ＴＶ等の受信機器（以下、シンク機器という）とを、ＡＶアンプ等の中継機器（以下、ＡＶアンプという。）を介してＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを用いて接続する形態が普及している。ＨＤＭＩケーブルを利用することで、デジタル形式でソース機器からの映像及び音声信号を高画質、高音質で送受信可能となる。
【０００３】
ＡＶアンプは、ソース機器からＨＤＭＩケーブルを介して入力される映像信号をシンク機器へ送信し、音声信号をＡＶアンプに接続される音声出力装置（以下、スピーカーという。）から出力する。一般にＡＶアンプに接続されるスピーカーはシンク機器に内蔵されるスピーカーよりも高音質であり、ＡＶアンプは複数の増幅部を備えるのでマルチチャンネルでの再生が可能である。
【０００４】
ＡＶアンプは、ソース機器から送信される音声信号をＡＶアンプのＤＳＰ、ＤＡＣ、増幅器等によって音場処理、デジタルーアナログ変換、増幅処理等をそれぞれ実行し、音声をスピーカーへ出力する。シンク機器の映像信号処理部は、ＡＶアンプから送信される映像信号に復号、色補正、輪郭補正、アスペクト比変換等の処理を実行し、映像を表示する。すなわち、音声処理と映像処理とが異なる機器で実行されるので、ＡＶアンプが出力した音声が視聴者の位置に到達するタイミングと、シンク機器が出力した映像が視聴者に認識されるタイミングとが一致しない。一般にＡＶアンプにおける音声信号の処理よりもシンク機器における映像信号の処理に時間がかかるので、映像信号の出力が音声信号の出力よりも遅れる。なお、映像と音声とがずれないように同期させることをリップシンクという。
【０００５】
シンク機器から出力される映像に同期するようにＡＶアンプからの音声信号出力のタイミングを調整するとき、ユーザは映像と音声を実際に視聴し、確認しながら、音声出力の遅延時間を調整しなくてはならない。この場合、ユーザは遅延量の微調整を実行しなくてはならず、非常に煩わしい。
【０００６】
特開２００６−３３４３６号公報には、ＡＶアンプがテレビ受像機から解像度ごとの遅延量を要求して取得し、取得された遅延量に従って音声信号を出力するタイミングを補正することが記載されている。
【０００７】
しかし、上記技術によると、テレビ受像機がＡＶアンプから送信される遅延量の要求に応答する必要があり、また、テレビ受像機は、遅延量データをあらかじめ保持しておく必要がある。
【先行技術文献】
【特許文献】
【０００８】
【特許文献１】特開２００６−３３４３６号公報
【発明の概要】
【発明が解決しようとする課題】
【０００９】
本発明は上記従来の課題を解決するためになされたものであり、その目的は、映像信号を受信装置へ送信後、音声信号を出力するまでの時間である補正時間を決定し、映像信号が受信装置において表示されるタイミングと音声が視聴者に到達するタイミングとを補正時間によって一致させることが可能な映像音声処理装置を提供することである。
【課題を解決するための手段】
【００１０】
本発明の好ましい実施形態による映像音声処理装置は、映像及び音声信号を送信する送信装置と、前記映像及び音声信号を受信する受信装置とに接続可能な映像音声処理装置であって、１または複数の音声出力装置が接続可能であり、前記音声出力装置へ前記音声信号を出力する音声出力手段と、前記音声出力装置から出力される音声を検出する音声検出手段と、前記音声出力手段が前記音声信号を前記音声出力装置へ出力した時、前記音声検出手段が前記音声を検出するまでの時間である第１遅延時間を各前記音声出力装置について測定する第１遅延時間測定手段と、音声信号、及び、前記送信装置から送信される前記映像信号を前記受信装置へ送信する送信手段と、前記送信手段が前記映像信号及び音声信号を前記受信装置へ送信した時、前記音声検出手段が前記受信装置の音声出力部から出力される前記音声を検出するまでの時間である第２遅延時間を測定する第２遅延時間測定手段と、各前記音声出力装置について前記第１遅延時間と前記第２遅延時間とによって決定される時間である補正時間を決定する補正時間決定手段とを備え、前記送信装置から前記映像信号及び音声信号を受信したとき、前記受信装置へ前記映像信号を送信した時から、各々の前記音声出力装置に対して前記補正時間が経過した時、前記音声出力手段が、前記音声信号を各前記音声出力装置へ出力する。
【００１１】
映像音声処理装置は、映像音声処理装置から出力される音声が、映像音声処理装置に接続される各音声出力装置から視聴者の位置に到達するまでの時間である第１遅延時間を測定する。さらに映像音声処理装置は、音声信号と、送信装置から送信される映像信号とを受信装置へ送信し、受信装置の音声出力部から出力される音声が視聴者の位置に到達するまでの時間である第２遅延時間を測定する。映像音声処理装置は、第１遅延時間と第２遅延時間とによって補正時間を計算する。映像音声処理装置は、送信装置から映像信号及び音声信号を受信したとき、映像信号を受信装置へ送信してから、補正時間が経過した後に、音声出力装置へ音声信号を送信する。この結果、視聴者が映像を認識するタイミングと、視聴者に音声が到達するタイミングとが一致する。
【００１２】
好ましい実施形態においては、前記受信装置から、前記受信装置が出力可能な前記映像信号のパラメータを取得するパラメータ取得手段と、  前記パラメータに応じた前記映像信号を送信するよう前記送信装置に指示する送信指示手段と、前記送信装置から送信される前記映像信号の前記パラメータを特定する特定手段とをさらに備え、  前記第２遅延時間測定手段が、前記第２遅延時間を、各前記パラメータの映像信号について測定し、前記補正時間決定手段が、前記音声出力装置毎の前記補正時間を各前記パラメータの映像信号について決定し、前記音声出力手段が、前記受信装置へ前記映像信号を送信した時から、各々の前記音声出力装置に対して、前記特定手段によって特定される前記パラメータに対応する前記補正時間が経過した時、前記音声信号を各前記音声出力装置へ出力する。
【００１３】
映像音声処理装置は、送信装置が送信する映像信号のパラメータごとに補正時間を決定する。送信装置から映像信号が送信されたとき、映像音声処理装置は、映像信号のパラメータを判断し、適切な補正時間を選択する。この結果、映像音声処理装置は、送信装置から送信される映像信号のパラメータに応じて適切な補正時間を決定でき、音声と映像とのずれが生じることを防止できる。
【００１４】
本発明の別の好ましい実施形態による映像音声処理装置は、前記受信装置が設定可能な表示モードの一覧を取得する表示モード取得手段と、前記受信装置に前記表示モードを設定するように指示する表示モード設定手段と、前記受信装置に設定されている前記表示モードを特定する表示モード特定手段とをさらに備え、前記第２遅延時間測定手段が、前記表示モード毎に、前記第２遅延時間を測定し、前記補正時間決定手段が、前記音声出力装置の前記補正時間を各前記表示モードについて決定し、前記音声出力手段が、前記受信装置へ前記映像信号を送信した時から、各々の前記音声出力装置に対して、前記表示モード特定手段によって特定される前記表示モードに対応する前記補正時間が経過した時、前記音声信号を各前記音声出力装置へ出力する。
【００１５】
映像音声処理装置は、受信装置の表示モードごとに第２遅延時間を測定し、補正時間を決定する。映像音声処理装置は、受信装置に設定されている表示モードを判断し、表示モードに対応する補正時間を選択するので、音声と映像とのずれが生じることを防止できる。
【００１６】
本発明の別の好ましい実施形態による映像音声処理装置は、映像及び音声信号を送信する送信装置と、前記映像及び音声信号を受信する受信装置とに接続可能な映像音声処理装置であって、１または複数の音声出力装置が接続可能であり、前記音声出力装置へ前記音声信号を出力する音声出力手段と、前記音声出力装置から出力される音声を検出する音声検出手段と、音声信号、及び、前記送信装置から送信される前記映像信号を前記受信装置へ送信する送信手段と、ユーザ操作によって映像及び音声の同期指示を受信する同期受信手段と、前記送信手段が、音声信号、及び、前記映像音声処理装置が受信中の前記映像信号を前記受信装置へ送信し、前記音声出力手段が前記音声信号を前記音声出力装置へ出力した時から、前記音声検出手段が前記音声を検出するまでの時間である第１遅延時間を各前記音声出力装置について測定する第１遅延時間測定手段と、前記同期指示を受信したとき、前記送信手段が前記映像信号及び音声信号を前記受信装置へ送信した時から、前記音声検出手段が前記受信装置の音声出力部から出力される前記音声を検出するまでの時間である第２遅延時間を測定する第２遅延時間測定手段と、各前記音声出力装置について前記第１遅延時間と前記第２遅延時間とによって決定される時間である補正時間を決定する補正時間決定手段とを備え、前記音声出力手段が、前記受信装置へ前記映像信号を送信した時から前記補正時間が経過した時、前記音声信号を前記音声出力装置へ出力する。
【００１７】
映像音声処理装置は、音声と映像とを同期させるようユーザによって指示されたとき、送信装置から受信中の映像信号を用いて第２遅延時間を測定する。映像音声処理装置は、受信装置の表示モードごとの第２遅延時間や映像信号のパラメータごとの第２遅延時間を未測定であっても、適切に映像と音声とを同期させることができる。
【００１８】
本発明の別の好ましい実施形態による映像音声処理装置は、前記同期指示が入力されたとき、前記送信装置が出力している前記映像信号または音声信号の再生位置を取得するレジューム位置取得手段と、前記補正時間が決定された後、前記レジューム位置取得手段によって取得された位置から、前記映像信号及び前記音声信号を出力するよう前記送信装置に指示するレジューム指示手段とをさらに備える。
【００１９】
映像音声処理装置は、音声と映像とを同期させるようユーザによって指示されたとき、送信装置が再生中の位置を取得して記憶する。映像音声処理装置は補正時間を決定後、送信装置に、記憶済みの位置から再生を再開するように指示するので、ユーザは音声と映像との同期を指示したときに送信装置が再生していた位置から映像及び音声を視聴できる。
【発明の効果】
【００２０】
映像信号を受信装置へ送信後、音声信号を出力するまでの時間である補正時間を決定し、映像信号が受信装置において表示されるタイミングと音声が視聴者に到達するタイミングとを補正時間によって一致させることが可能な映像音声処理装置を提供できる。
【図面の簡単な説明】
【００２１】
【図１】本発明の好ましい実施形態による機器のブロック図である。
【図２】本発明の好ましい実施形態による接続図である。
【図３】映像音声処理装置が実行するフローチャートである。
【図４】映像音声処理装置が有する測定結果である。
【図５】映像音声処理装置が実行するフローチャートである。
【図６】映像音声処理装置が有する測定結果である。
【図７】映像音声処理装置が有する補正時間テーブルである。
【図８】映像音声処理装置が実行するフローチャートである。
【図９】映像音声処理装置が実行するフローチャートである。
【図１０】映像音声処理装置が有する測定結果である。
【図１１】映像音声処理装置が有する補正時間テーブルである。
【図１２】映像音声処理装置が実行するフローチャートである。
【図１３】映像音声処理装置が実行するフローチャートである。
【図１４】映像音声処理装置が有する測定結果である。
【図１５】映像音声処理装置が有する補正時間テーブルである。
【図１６】映像音声処理装置が実行するフローチャートである。
【発明を実施するための形態】
【００２２】
以下、本発明の好ましい実施形態によるソース機器、ＡＶアンプ及びシンク機器について、図面を参照して具体的に説明するが、本発明はこれらの実施形態には限定されない。
【００２３】
図１は、本発明の好ましい実施形態によるシンク機器、ＡＶアンプ及びソース機器のブロック図である。ＡＶアンプ２００には、ソース機器１００とシンク機器３００とが接続される。ソース機器１００は、例えばＤＶＤプレーヤ、Ｂｌｕ−ｒａｙプレーヤ、ＨＤＤプレーヤなどである。シンク機器３００は、例えばテレビである。ソース機器１００とＡＶアンプ２００とはＨＤＭＩケーブルによって接続される。ソース機器１００は映像信号及び音声信号をＨＤＭＩケーブルを介してＡＶアンプ２００へ送信する。なお、ＡＶアンプ２００には複数のソース機器１００が接続されてもよい。
【００２４】
ＡＶアンプ２００は、ソース機器１００から送信される信号のうち、音声信号をＡＶアンプ２００に接続されるスピーカー２９に出力し、映像信号を、ＨＤＭＩケーブルを介してシンク機器３００へ送信する。シンク機器３００は、ＡＶアンプ２００から送信される映像信号を表示部３５に表示する。
【００２５】
ソース機器１００は、制御部１１、記憶部１２、再生部１３、及びＨＤＭＩ送信部１４を備える。制御部１１は記憶部１２に格納されたプログラムを実行することによりソース機器１００全体を制御するものであり、例えばマイコンやＣＰＵである。記憶部１２は、ソース機器１００の設定内容などを保持するものであり、例えばＲＯＭやＲＡＭである。再生部１３は、ソース機器１００に挿入されるディスクなどを再生するものであり、例えばＤＶＤ・Ｂｌｕ−ｒａｙ再生部や、ＨＤＤ再生部である。再生部１３はＤＶＤ・Ｂｌｕ−ｒａｙディスク等のコンテンツを再生し、再生したコンテンツの映像信号及び音声信号を、ＨＤＭＩ送信部１４に出力する。
【００２６】
ＨＤＭＩ送信部１４は、再生部１３から入力された映像信号及び音声信号を、制御部１１の制御に基づいて、ＨＤＭＩ規格の信号（以下、ＨＤＭＩ信号という。）に変換する。また、ＨＤＭＩ送信部１４は、制御部１１の制御に基づき、ＨＤＭＩ信号を送信する。
【００２７】
ＡＶアンプ２００は、制御部２１、記憶部２２、ＨＤＭＩ受信部２３、ＨＤＭＩ送信部２４、増幅部２５Ａ〜２５Ｅ、マイク信号受信部２６、及びＤＳＰ２７を有する。増幅部２５Ａ〜２５Ｅは、スピーカー２９Ａ〜２９Ｅと接続される。マイク信号受信部２６はマイク２８と接続される。以下、特に区別する必要がないときは、増幅部２５Ａ、２５Ｂ、２５Ｃ、２５Ｄ、２５Ｅを単に増幅部２５といい、スピーカー２９Ａ、２９Ｂ、２９Ｃ、２９Ｄ、２９Ｅを単にスピーカー２９という。ＡＶアンプ２００は増幅部を複数備えるので、スピーカー２９Ａ〜２９Ｅへ同時に音声信号を出力できる。
【００２８】
制御部２１は記憶部２２に格納されたプログラムを実行することによりＡＶアンプ２００全体を制御するものであり、例えばマイコンやＣＰＵである。記憶部２２は、ＡＶアンプ２００の設定内容などを保持するものであり、例えばＲＯＭやＲＡＭである。記憶部２２は、後述する補正時間テーブル２０１を有する。
【００２９】
ＨＤＭＩ受信部２３は、制御部２１の制御に基づき、受信したＨＤＭＩ信号から元の映像信号を生成し、ＨＤＭＩ送信部２４へ送信する。また、ＨＤＭＩ受信部２３は、制御部２１の制御に基づき、ＨＤＭＩ信号から元の音声信号を生成し、ＤＳＰ２７に供給する。ＨＤＭＩ送信部２４は、ＨＤＭＩ受信部２３から入力され、復号化された映像信号を、制御部２１の制御に基づいて、ＨＤＭＩ信号に変換し、シンク機器３００へ送信する。また、ＨＤＭＩ送信部２４は、ＤＳＰ２７から供給される音声信号をＨＤＭＩ信号に重畳して送信することが可能である。
【００３０】
マイク２８は、スピーカー２９から出力される音声を集音する。マイク信号受信部２６は、ＡＶアンプ２００に接続されるマイク２８が、音声信号を検出したとき、マイクが検出した音声信号を受信する。マイク信号受信部２６は音声信号を検出したとき、音声信号を検出したことを制御部２１へ通知する。
【００３１】
ＤＳＰ２７は、デジタル信号処理部であり、ＨＤＭＩ受信部２３が受信するデジタル音声信号に音場処理等を実行する。また、ＤＳＰ２７は、後述する測定用音声信号を生成する。
【００３２】
シンク機器３００は、制御部３１、記憶部３２、ＨＤＭＩ受信部３３、映像信号処理部３４、表示部３５、増幅部３６、ＤＳＰ３７、及びスピーカー３８を備える。
【００３３】
制御部３１は記憶部３２に格納されたプログラムを実行することによりシンク機器３００全体を制御するものであり、例えばマイコンやＣＰＵである。記憶部３２は、シンク機器３００の設定内容などを保持するものであり、例えばＲＯＭやＲＡＭである。ＨＤＭＩ受信部３３は、制御部３１の制御に基づき、ＡＶアンプ２００から送信されるＨＤＭＩ信号を受信する。また、ＨＤＭＩ受信部３３は、制御部３１の制御に基づき、受信したＨＤＭＩ信号から元の映像信号を生成する。映像信号処理部３４は、映像信号に色補正や輪郭補正、２Ｄ（２次元）から３Ｄ（３次元）への信号変換などの映像処理を実行し、表示部３５へ出力する。表示部３５は例えば液晶ディスプレイやプラズマディスプレイである。
【００３４】
増幅部３６は、ＨＤＭＩ受信部３３によって受信される音声信号、またはシンク機器３００がテレビチューナ等によって受信するＴＶ信号に含まれる音声信号を増幅し、シンク機器３００に内蔵されるスピーカー３８へ出力する。
【００３５】
以上の構成を備えるＡＶアンプ２００の制御部２１は、ＡＶアンプ２００が各スピーカー２９へ音声信号を出力し、音声が視聴者の位置（マイク２８が設置される位置）に届くまでの時間（第１遅延時間）を計測する。さらに制御部２１は、シンク機器３００へ映像信号と音声信号とを重畳したＨＤＭＩ信号を送信してから、シンク機器３００のスピーカー３８から音声が出力され、視聴者の位置に届くまでの時間（第２遅延時間）を計測する。制御部２１は、ソース機器１００からＨＤＭＩ信号を受信したとき、シンク機器３００へ映像信号を送信し、第１遅延時間及び第２遅延時間から導出される時間（補正時間）経過したとき、ＡＶアンプ２００に接続されるスピーカー２９へ音声信号を出力する。
【００３６】
以下、本発明の動作を説明する。図２は、ソース機器１００、ＡＶアンプ２００、シンク機器３００、マイク２８、及びスピーカー２９Ａ〜２９Ｅが配置された部屋を真上から見たときの配置を示す。視聴者の位置に、マイク２８が設置される。ソース機器１００、ＡＶアンプ２００、シンク機器３００は一か所に設置されるとする。ＡＶアンプ２００に接続されるスピーカー２９Ａは左フロントスピーカーであり、スピーカー２９Ｂは右フロントスピーカーであり、それぞれシンク機器３００の真横に設置される。スピーカー２９Ｃは、センタースピーカーである。スピーカー２９Ｄは左サラウンドスピーカーであり、スピーカー２９Ｅは、右サラウンドスピーカーである。
【００３７】
ＡＶアンプ２００の制御部２１は、視聴者の位置に設置されるマイク２８を用いて、ＡＶアンプ２００が音声信号をスピーカー２９に出力開始してから、マイク２８に音声が到達するまでの時間（以下、遅延時間１という。）を計測する。図３は、ＡＶアンプ２００の制御部２１が遅延時間１を計測するフローチャートを示す。なお、遅延時間１は、各スピーカー２９について測定される。
【００３８】
ＡＶアンプ２００の制御部２１は、ユーザ操作によって、ＡＶアンプ２００に接続される各スピーカー２９の遅延時間１を計測する指示が入力される（Ｓ１０１）。制御部２１は、測定対象のスピーカー（例えばスピーカー２９Ａ）を選択する（Ｓ１０２）。
【００３９】
制御部２１は、ＤＳＰ２７に、測定用のテスト信号を生成し、出力するよう指示する（Ｓ１０３）。測定用のテスト音声信号は、例えば周波数ごとの振幅が既知の音声信号である。ＤＳＰ２７によって生成されるテスト音声信号はアナログ信号に変換された後、Ｓ１０２の処理によって選択されるスピーカー２９が接続される増幅部２５に入力され、スピーカー２９から出力される（Ｓ１０４）。
【００４０】
制御部２１は、増幅部２５からスピーカー２９に音声信号を出力したとき、タイマのカウントを開始し、カウンタ値をインクリメントする（Ｓ１０５）。タイマのカウント精度は例えばミリ秒（ｍｓ）である。なお、タイマのカウンタ値の初期値は０である。
【００４１】
制御部２１は、マイク２８がスピーカー２９から出力される音声を検出したとき、マイク信号受信部２６によって音声の検出が通知されたか否かを判断し（Ｓ１０６）、音声検出が通知されていないと判断した場合（Ｓ１０６でＮＯ）、音声検出通知を待ち、音声検出通知がされたと判断した場合（Ｓ１０６でＹＥＳ）、現在のタイマのカウンタ値を、Ｓ１０２の処理によって選択されたスピーカー２９に対応付けて記憶する（Ｓ１０７）。図４は、スピーカー２９と遅延時間１とを関連付けて管理する測定結果のテーブルを示す。例えば、カウンタ値が５であった場合、スピーカー２９Ａに対応づけて５ｍｓが登録される。
【００４２】
制御部２１は、ＡＶアンプ２００に接続されるすべてのスピーカー２９に対してＳ１０２からＳ１０７の処理が実行されたか否かを判断し（Ｓ１０８）、処理されていないと判断された場合（Ｓ１０８でＮＯ）、タイマのカウントを停止し、カウンタ値を０に初期化し（Ｓ１０９）、Ｓ１０２の処理によって測定対象のスピーカー２９を変更し、Ｓ１０３以下の処理を実行する。制御部２１は、すべてのスピーカー２９に対してＳ１０２からＳ１０７の処理が実行したと判断した場合（Ｓ１０８でＹＥＳ）、処理を終了する。
【００４３】
以上の処理によって、ＡＶアンプ２００の増幅部２５から音声信号が出力されてから、視聴者に音声が到達するまでの時間（遅延時間１）が、スピーカー２９ごとに計測される。なお、遅延時間１の計測は、ＡＶアンプ２００にスピーカー２９が接続されたとき、またはスピーカー２９の配置が変更されたとき１回だけ実行されればよい。
【００４４】
［実施形態１］
図５は、ＡＶアンプ２００のＨＤＭＩ送信部２４が音声信号及び映像信号をシンク機器３００へ送信してから、シンク機器３００がＡＶアンプ２００から受信する音声信号をスピーカー３８から出力し、音声がマイク２８が設置される位置に到達するまでに要する時間（以下、遅延時間２という。）を、ソース機器１００から送信される映像信号のパラメータ毎に計測するフローチャートを示す。本実施例では、映像信号のパラメータは、解像度であるとする。シンク機器３００は、ＡＶアンプ２００から送信される映像信号と音声信号とを同期させて出力するので、制御部２１は、遅延時間２を計測することによって、シンク機器３００が映像信号を受信してから表示部３５に表示するまでの時間を取得できる。制御部２１は、遅延時間２によって決定される補正時間に基づいて音声信号をスピーカー２９へ出力するタイミングを補正する。図３と同一の処理には同一符号を付し、説明を省略する。
【００４５】
ＡＶアンプ２００の制御部２１は、シンク機器３００から、シンク機器３００が表示部３５に出力可能な映像信号の解像度の一覧を取得する（Ｓ２０１）。シンク機器３００が出力可能な解像度の一覧は、ＨＤＭＩケーブルのＤＤＣラインを介して、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）によって取得される。制御部２１は、ＥＤＩＤを解析し、シンク機器３００が出力可能な解像度を取得する。
【００４６】
制御部２１は、ユーザ操作によって遅延時間２の測定開始指示を受信したとき（Ｓ１０１）、ソース機器１００にＨＤＭＩ信号を送信するよう指示する（Ｓ２０２）。このとき、ソース機器１００に送信指示する映像信号の解像度は、Ｓ２０１の処理によって特定された解像度リストに含まれる解像度のいずれかである。なお、ソース機器１００は映像信号とともに、音声信号を送信してもよく、送信しなくてもよい。
【００４７】
制御部２１は、ソース機器１００から受信した映像信号に、テスト音声信号を重畳する（Ｓ２０３）。重畳されるテスト音声信号はＤＳＰ２７によって供給されるものであり、図３のＳ１０３の処理によって生成されるテスト音声信号と同じものである。制御部２１は、ソース機器１００から音声信号を受信している場合、ソース機器１００から送信される音声信号に代えて、ＤＳＰ２７によって供給されるテスト音声信号を使用する。
【００４８】
制御部２１は、ＨＤＭＩ送信部２４に、Ｓ２０３で生成された映像信号と音声信号とをＨＤＭＩケーブルを介してシンク機器３００へ送信するよう指示する（Ｓ２０４）。ＨＤＭＩ送信部２４は、映像信号と音声信号とをシンク機器３００へ送信する。シンク機器３００は、受信した映像信号を映像信号処理部３４によって復号、補正等を実行し、表示部３５へ出力し、音声信号を増幅部３６によって増幅し、スピーカー３８から出力する。なお、シンク機器３００は映像信号と音声信号とをＡＶアンプ２００から受信したとき、映像信号処理部３４において映像信号に対する映像処理がすべて完了した後、音声信号をスピーカー３８へ出力する。
【００４９】
制御部２１は、タイマを起動し、カウンタ値をインクリメントし（Ｓ１０５）、マイク信号受信部２６から音声検出通知を受信したか否かを判断する（Ｓ１０６）。制御部２１は、音声検出通知を受信していないと判断したとき（Ｓ１０６でＮＯ）、音声検出通知を待ち、音声検出通知を受信したとき（Ｓ１０６でＹＥＳ）、タイマのカウンタ値を、Ｓ２０２でソース機器１００に送信するよう指示した映像信号の解像度に対応付けて記憶する（Ｓ２０５）。図６はＳ２０５の処理によって生成される測定結果を示すテーブルである。図６のテーブルには測定結果として解像度と、タイマのカウンタ値とが対応付けて管理されている。例えば、映像信号の解像度が４８０ｉのとき、Ｓ１０６の通知を受信したときのカウンタ値が６５であれば、４８０ｉに対応付けて６５ｍｓが登録される。
【００５０】
制御部２１は、Ｓ２０１によって取得された解像度リストのすべての解像度についてＳ２０２からＳ２０５の処理を実行したか否かを判断し（Ｓ２０６）、未処理の解像度があると判断した場合（Ｓ２０６でＮＯ）、タイマのカウントを停止し、カウンタ値を０に初期化する（Ｓ１０９）。制御部２１は、Ｓ２０１で取得された解像度リストのうち、未処理の解像度を決定し（Ｓ２０７）、Ｓ２０２以降の処理を繰り返す。
【００５１】
制御部２１は、すべての解像度についてＳ２０２以降の処理を実行したと判断した場合（Ｓ２０６でＹＥＳ）、補正時間を、解像度とスピーカー２９とに対応付けて補正時間テーブル２０１に登録する（Ｓ２０８）。補正時間は、ＡＶアンプ２００がシンク機器３００へ映像信号を送信した時、各音声信号を各スピーカー２９から出力するまでの時間である。図７は補正時間テーブル２０１を示す。例えば、解像度４８０ｉの映像信号に対して、スピーカー２９Ａ〜２９Ｅが対応付けられ、各スピーカー２９の遅延時間は、図６に示される遅延時間２から、図４に示される遅延時間１を減算した値となる。例えば、制御部２１は、ソース機器１００から４８０ｉの映像信号を受信したとき、映像信号をシンク機器３００へ送信後、６０ｍｓ経過した時、スピーカー２９Ａ及び２９Ｂに音声信号を出力し、６１ｍｓ経過した時、スピーカー２９Ｃに音声信号を出力し、５９ｍｓ経過した時、スピーカー２９Ｄ及び２９Ｅに音声信号を出力する。この結果、シンク機器３００の表示部３５に映像が表示される時刻と、ＡＶアンプ２００の各スピーカー２９から出力される音声が視聴者に到達する時刻とが一致する。
【００５２】
図８は制御部２１が、図７の補正時間テーブル２０１の補正時間に基づいて音声信号をスピーカー２９へ出力するタイミングを補正するフローチャートを示す。
【００５３】
制御部２１は、ＨＤＭＩ受信部２３がソース機器１００から映像信号を受信したことを検出し、受信した映像信号の解像度を特定する（Ｓ３０１）。
【００５４】
制御部２１は、映像信号の解像度ごとの遅延時間２を測定済みであるか否かを判断し（Ｓ３０２）、測定していないと判断した場合（Ｓ３０２でＮＯ）、処理を終了する。なお、Ｓ３０２の処理において、制御部２１は、図７の補正時間テーブル２０１を有している場合、解像度毎の遅延時間２を測定済みであると判断する。制御部２１は、解像度別に遅延時間２を測定済みであると判断した場合（Ｓ３０２でＹＥＳ）、図７の補正時間テーブル２０１を参照し、解像度に対応する各スピーカー２９の補正時間を特定する（Ｓ３０３）。
【００５５】
制御部２１は、ソース機器１００から送信される映像信号をＨＤＭＩ送信部２４からシンク機器３００へ出力させ（Ｓ３０４）、各スピーカー２９の補正時間が経過するのを待ち（Ｓ３０５）、ソース機器１００から送信される音声信号を各スピーカー２９へ出力する（Ｓ３０６）。例えば、映像信号の解像度が４８０ｐの場合、図７のスピーカー２９Ａ（ＳＰ−ＬＥＦＴ）の遅延時間は６５ｍｓであるので、制御部２１はＳ３０４の処理によって映像信号をシンク機器３００へ出力後、６５ｍｓ経過してから、Ｓ３０６の処理によって音声信号をスピーカー２９Ａへ出力する。制御部２１は、スピーカー２９Ｂ〜２９Ｅについても同様に補正時間が経過後、音声信号を出力する。
【００５６】
制御部２１は、ソース機器１００から送信される映像信号の解像度が変更されたか否かを判断し（Ｓ３０７）、解像度が変更されたと判断した場合（Ｓ３０７でＹＥＳ）、Ｓ３０１の処理によって変更後の解像度を特定し（Ｓ３０１）、解像度に対応する補正時間を再取得する。制御部２１は、解像度が変更されていないと判断した場合（Ｓ３０７でＮＯ）、映像信号の解像度が変更されるのを待つ。
【００５７】
以上の実施形態によると、ＡＶアンプ２００に接続されるスピーカー２９から音声信号が出力されるタイミングが、ソース機器１００から送信される映像信号の解像度に基づいて自動的に補正されるので、シンク機器３００の表示部３５に映像が表示される時刻とスピーカー２９から出力される音声が視聴者に到達する時刻とが一致する。なお、制御部２１は解像度以外の映像信号のパラメータ（例えば、映像信号のフォーマット、映像信号のアスペクト比、映像信号の色深度など）について図５の処理を実行し、図７の補正時間テーブル２０１を生成してもよい。
【００５８】
［実施形態２］
図９は表示モード毎の遅延時間２を取得するフローチャートであり、図３または図５と同一の処理には同一符号を付し、説明を省略する。本実施形態によると、制御部２１はシンク機器３００の表示モード毎に遅延時間２を計測するので、シンク機器３００に設定されている表示モードに応じて補正時間を設定可能である。
【００５９】
制御部２１は、シンク機器３００が出力可能な映像信号の解像度のリストを取得し（Ｓ２０１）、シンク機器３００が対応する表示モードを取得する（Ｓ４０１）。表示モードは、例えば、２Ｄ−３Ｄ変換モード、３Ｄモード、２４０Ｈｚモード、ＧＡＭＥモード、２Ｄモードである。２Ｄ−３Ｄ変換モードは、シンク機器３００がＡＶアンプ２００から２Ｄ表示用の映像信号を受信したとき、３Ｄの映像信号に変換して表示部３５に表示するモードである。３Ｄモードは、ＡＶアンプ２００から３Ｄ表示用の映像信号を受信し、３Ｄの映像信号を表示するモードである。２４０Ｈｚモードは、リフレッシュレートを２４０Ｈｚに設定して表示するモードである。ＧＡＭＥモードは、映像信号に可能な限り補正処理を付加せずに表示部３５に表示するモードである。２Ｄモードは、通常の２Ｄ表示用の映像信号を表示するモードである。制御部２１は、ＣＥＣ（Ｃｏｓｕｍｅｒ  Ｅｌｅｃｔｒｏｎｉｃｓ  Ｃｏｎｔｒｏｌ）コマンドによってシンク機器３００に設定されている表示モードを取得する（Ｓ４０２）。ＣＥＣコマンドは、ＨＤＭＩ規格で規定されている制御信号を伝送するためのプロトコルであり、シンク機器３００、ＡＶアンプ２００及びソース機器１００はＣＥＣコマンドを送受信することによって任意の制御データや情報を伝送できる。
【００６０】
制御部２１は、ユーザ操作によって遅延時間２を測定する指示が入力され（Ｓ１０１）、ソース機器１００に映像信号を出力するよう指示する（Ｓ２０２）。なお、制御部２１は、Ｓ２０２の処理において、Ｓ４０２で取得されたシンク機器３００の表示モードに応じた映像信号を要求する。例えば、制御部２１は２Ｄ―３Ｄ変換モードの場合は、ソース機器１００に２Ｄの映像信号を要求し、３Ｄモードの場合はソース機器１００に３Ｄの映像信号を要求する。なお、制御部２１がソース機器１００に送信指示する映像信号の解像度は、Ｓ２０１の処理によって特定された解像度リストに含まれる解像度のいずれかである
【００６１】
制御部２１は、ソース機器１００から送信される映像信号にＤＳＰ２７によって生成されるテスト音声信号を重畳し（Ｓ２０３）、ＨＤＭＩ送信部２４に映像信号及び音声信号をシンク機器３００へ送信するよう指示する（Ｓ２０４）。
【００６２】
制御部２１は、タイマのカウントを開始し（Ｓ１０５）、マイク信号受信部２６から音声検出通知を受信したとき（Ｓ１０６でＹＥＳ）、カウンタ値を、Ｓ４０２で取得された表示モードと、Ｓ２０２の処理によってソース機器１００に送信するよう指示した映像信号の解像度とに対応付けて記憶する（Ｓ４０３）。図１０は、表示モードと、映像信号の解像度と、遅延時間２とを対応付けて記憶するテーブルを示す。例えば、２Ｄ−３Ｄ変換モードが設定されており、Ｓ２０２の処理においてソース機器１００に送信するよう要求した映像信号の解像度が４８０ｉであった場合に、Ｓ１０６の処理において音声信号が検出されたときのカウンタ値が５７５であったとき、５７５ｍｓが登録される。
【００６３】
制御部２１は、Ｓ２０１の処理において取得された解像度リストのすべての解像度についてＳ２０２〜Ｓ４０３の処理を実行したか否かを判断し（Ｓ２０６）、処理していないと判断したとき（Ｓ２０６でＮＯ）、タイマのカウントを停止し、カウンタ値を初期化し（Ｓ１０９）、解像度リストの解像度のうち、未測定の解像度を指定し（Ｓ２０７）、Ｓ２０２以降の処理を実行する。
【００６４】
制御部２１は、すべての解像度について処理を実行したと判断したとき（Ｓ２０６でＹＥＳ）、Ｓ４０１で取得されたすべての表示モードについてＳ２０２〜Ｓ２０６の処理を実行したか否かを判断し（Ｓ４０４）、処理を実行していないと判断したとき（Ｓ４０４でＮＯ）、タイマのカウントを停止し、カウンタ値をリセットし（Ｓ４０６）、シンク機器３００の表示モードをＳ４０１で取得された表示モードのうち、未処理の表示モードへ変更するようＣＥＣコマンドによって指示する（Ｓ４０７）。制御部２１は、変更後の表示モードについて、Ｓ２０２以降の処理を実行する。
【００６５】
制御部２１は、すべての表示モードについて処理したと判断したとき（Ｓ４０４でＹＥＳ）、表示モードと、解像度と、スピーカー２９とに対応付けて補正時間を決定し、補正時間テーブル２０１に登録する。図１１は本実施形態における補正時間テーブル２０１を示す。図１１の補正時間テーブル２０１はシンク機器３００の表示モードと、映像信号の解像度と、ＡＶアンプ２００に接続されるスピーカー２９とに対応付けて、補正時間を管理する。例えば、シンク機器３００の表示モードが２Ｄ−３Ｄ変換モードであり、ソース機器１００が送信する映像信号の解像度が４８０ｉである場合、スピーカー２９Ａに対応する補正時間は５７５−５＝５７０ｍｓとなる。
【００６６】
以上の処理によると、制御部２１は、シンク機器３００の表示モードと映像信号の解像度とに対応付けて各スピーカー２９の補正時間を取得できる。なお、制御部２１は各スピーカー２９の補正時間を各表示モードにのみ対応付けて決定し、解像度について計測しなくてもよい。
【００６７】
図１２は表示モード毎の補正時間を利用して音声出力のタイミングを補正するフローチャートである。制御部２１は図７または図１１の補正時間テーブル２０１の補正時間に基づいて音声信号をスピーカー２９へ出力するタイミングを補正する。
【００６８】
制御部２１は、ＨＤＭＩ受信部２３がソース機器１００から映像信号を受信したことを検出し、受信した映像信号の解像度を特定する（Ｓ３０１）。
【００６９】
制御部２１は、表示モード別の遅延時間２を計測したか否かを判断し（Ｓ５０１）、測定済みであると判断した場合（Ｓ５０１でＹＥＳ）、シンク機器３００に設定されている表示モードを特定する（Ｓ５０２）。制御部２１は、図１１の補正時間テーブル２０１を参照し、表示モードと解像度とに対応する各スピーカー２９の補正時間を特定する（Ｓ３０３）。なお、Ｓ３０２の処理において、制御部２１は、図１１の補正時間テーブル２０１を有している場合、表示モード別の遅延時間２を測定済みであると判断する。
【００７０】
制御部２１は、表示モード別の遅延時間２を測定していないと判断した場合（Ｓ５０１でＮＯ）、映像信号の解像度ごとの遅延時間２を測定済みであるか否かを判断し（Ｓ３０２）、測定していないと判断した場合（Ｓ３０２でＮＯ）、処理を終了する。制御部２１は、解像度別に遅延時間２を測定済みであると判断した場合（Ｓ３０２でＹＥＳ）、図７の補正時間テーブル２０１を参照し、解像度に対応する各スピーカー２９の補正時間を特定する（Ｓ３０３）。
【００７１】
制御部２１は、ソース機器１００から送信される映像信号をＨＤＭＩ送信部２４からシンク機器３００へ出力させ（Ｓ３０４）、各スピーカー２９の補正時間が経過するのを待ち（Ｓ３０５）、ソース機器１００から送信される音声信号を各スピーカー２９へ出力する（Ｓ３０６）。例えば、表示モードが２Ｄ−３Ｄ変換モードであり、映像信号の解像度が１０８０ｐの場合、図１１のスピーカー２９Ａ（ＳＰ−ＬＥＦＴ）の遅延時間は５９５ｍｓであるので、制御部２１はＳ３０４の処理によって映像信号をシンク機器３００へ出力後、５９５ｍｓ経過したとき、Ｓ３０６の処理によって音声信号をスピーカー２９Ａへ出力する。制御部２１は、スピーカー２９Ｂ〜２９Ｅについても同様に補正時間が経過後、音声信号を出力する。
【００７２】
制御部２１は、シンク機器３００の表示モードが変更されたか否かを判断し（Ｓ５０３）、変更されたと判断した場合（Ｓ５０３でＹＥＳ）、Ｓ５０２の処理によって変更後の表示モードを特定し、Ｓ３０３以降の処理を実行する。制御部２１は、シンク機器３００の表示モードが変更されたことをシンク機器３００から通知されることによって認識する。なお、制御部２１はＳ３０２の処理によって表示モード別の遅延時間２を測定していないと判断した場合、Ｓ５０３の処理を実行しない。
【００７３】
制御部２１は、シンク機器３００の表示モードが変更されていないと判断した場合（Ｓ５０３でＮＯ）、ソース機器１００から送信される映像信号の解像度が変更されたか否かを判断する（Ｓ３０７）。制御部２１は、解像度が変更されていないと判断した場合（Ｓ３０７でＮＯ）、Ｓ５０３の処理によってシンク機器３００の表示モードが変更されるのを待つ。
【００７４】
以上の実施形態によると、ＡＶアンプ２００に接続されるスピーカー２９から音声信号が出力されるタイミングが、シンク機器３００の表示モードと、ソース機器１００から送信される映像信号の解像度とに基づいて自動的に補正されるので、シンク機器３００の表示部３５に映像が表示される時刻とスピーカー２９から出力される音声が視聴者に到達する時刻とが一致する。なお、制御部２１は、各スピーカー２９の補正時間を表示モードについてのみ計測していた場合は、シンク機器３００の表示モードに対応する補正時間によって音声出力のタイミングを補正する。
【００７５】
ところで、ＡＶアンプ２００の制御部２１がＣＥＣコマンドによってシンク機器３００から表示モードを取得できない場合や、シンク機器３００が対応する解像度リストを取得できない場合、制御部２１は図７や図１１の補正時間テーブル２０１を生成できない。その結果、ＡＶアンプ２００はリップシンクを実行できないので、表示部３５に映像が出力されるタイミングと視聴者に音声が到達するタイミングとがずれてしまう。
【００７６】
［実施形態３］
図１３は第４の実施形態を示すフローチャートである。本実施形態によると、制御部２１は、ユーザ操作によってリップシンクを実行するよう指示されたとき、ＡＶアンプ２００が受信中の映像信号を用いて遅延時間２を測定し、補正時間を決定し、音声信号を出力するタイミングを補正する。図３、５、又は図８と同一の処理には同一符号を付し、説明を省略する。
【００７７】
制御部２１は、ソース機器１００から送信される映像信号をシンク機器３００へ送信し、音声信号をスピーカー２９から出力中に、ユーザ操作によってリップシンクを実行する指示が入力される（Ｓ６０１）。
【００７８】
制御部２１は、ＣＥＣコマンドによってＡＶアンプ２００から送信する音声信号がシンク機器３００のスピーカー３８から出力されるようシンク機器３００に指示する（Ｓ６０２）。なお、ＡＶアンプ２００からシンク機器３００へ音声信号を出力したとき、スピーカー３８から音声が出力されるよう設定されている場合には、制御部２１はＳ６０２の処理によって改めて指示する必要はない。
【００７９】
制御部２１は、ＡＶアンプ２００に接続されているスピーカー２９から音声信号を出力しないよう設定し（Ｓ６０３）、ソース機器１００から送信されている音声信号に代えて、ＤＳＰ２７が生成するテスト音声信号を重畳し（Ｓ６０４）、ＨＤＭＩ送信部２４に、ＨＤＭＩ信号を送信するよう指示する（Ｓ２０４）。制御部２１は、タイマのカウントを開始し（Ｓ１０５）、マイク信号受信部２６から音声の検出通知を受信したと判断する（Ｓ１０６でＹＥＳ）。
【００８０】
制御部２１は、音声信号を検出したときのカウンタ値を遅延時間２として記憶する（Ｓ６０５）。図１４は測定された遅延時間２を示す。図１４は１５０ｍｓが遅延時間２として記憶されることを示す。制御部２１は、各スピーカー２９の補正時間を計算する（Ｓ６０６）。図１５は、本実施形態による補正時間テーブル２０１であり、スピーカー２９と補正時間とを対応付けて管理する。補正時間は、図１４の遅延時間２から、図４の遅延時間１を減算した値である。
【００８１】
制御部２１は、シンク機器３００のスピーカー３８から音声を出力しないようシンク機器３００に指示する（Ｓ６０７）。制御部２１は、シンク機器３００へ音声信号を出力しないことによって、スピーカー３８から音声が出力されないようにしてもよい。制御部２１は、ＡＶアンプ２００のスピーカー２９から音声が出力されるよう設定し（Ｓ６０８）、映像信号をシンク機器３００へ送信してから補正時間分経過するのを待ち（Ｓ３０５）、音声信号を各スピーカー２９に出力する（Ｓ３０６）。
【００８２】
以上の処理によると、ユーザが視聴中の映像信号を用いて補正時間を決定するので、ＡＶアンプ２００の制御部２１は映像信号の解像度や、シンク機器３００の表示モードごとに遅延時間２を計測しなくても、音声と映像とを同期できる。
【００８３】
［実施形態４］
図１６は第４の実施形態を示すフローチャートである。本実施形態によると、ＡＶアンプ２００の制御部２１は、リップシンクを実行するように指示されたときのソース機器１００の再生位置を記憶する。制御部２１は補正時間を決定した後、記憶されている位置からソース機器１００の再生を再開させる。図１６は図１３と、Ｓ７０１及びＳ７０２が追加されている点で異なり、その他は同一である。図１３と同一の処理には同一符号を付し、説明を省略する。
【００８４】
制御部２１は、ユーザ操作によってリップシンクを実行する指示が入力されたとき、（Ｓ６０１）、ＣＥＣコマンドによってソース機器１００から再生中の位置情報を取得し、記憶する（Ｓ７０１）。再生中の位置は、例えば再生秒数などである。
【００８５】
制御部２１は、ＡＶアンプ２００のスピーカー２９から音声が出力されるよう設定し（Ｓ６０８）、ソース機器１００に、Ｓ６０１の処理によって取得された位置から再生を再開するよう指示する（Ｓ７０２）。
【００８６】
制御部２１は、映像信号をシンク機器に送信した後、図１５の補正時間テーブル２０１によって指定される時間だけ待機し（Ｓ３０５）、各スピーカー２９に音声信号を出力する（Ｓ３０６）。
【００８７】
以上の処理によると、制御部２１は、遅延時間２を測定後、リップシンクが指示されたときの位置からソース機器１００の再生を再開するので、ユーザは補正時間が測定された後、ソース機器１００の再生位置を指定してレジュームする必要がない。
【００８８】
以上、本発明の好ましい実施形態について説明したが、本発明はこれらの実施形態には限定されない。ＡＶアンプ２００にシンク機器３００やソース機器１００が２台以上接続されてもよい。また、シンク機器３００とソース機器１００の種別ごとに図７または図１１の補正時間テーブル２０１を生成してもよい。また、ＨＤＭＩケーブルに代えて、ＤＶＩケーブル等によって接続してもよい。
【産業上の利用可能性】
【００８９】
本発明は、ＡＶアンプ、ＴＶ等の機器に好適に採用され得る。
【符号の説明】
【００９０】
１００          ソース機器
２００          ＡＶアンプ
３００          シンク機器
１１              制御部
１２              記憶部
１３            再生部
１４            ＨＤＭＩ送信部
２１            制御部
２２            記憶部
２３            ＨＤＭＩ受信部
２４            ＨＤＭＩ送信部
２５Ａ          音声処理部
２５Ｂ          音声処理部
２５Ｃ          増幅部
２５Ｄ          増幅部
２５Ｅ          増幅部
２６            マイク信号受信部
２７            ＤＳＰ
２８            マイク
２９Ａ                スピーカー
２９Ｂ                スピーカー
２９Ｃ                スピーカー
２９Ｄ                スピーカー
２９Ｅ                スピーカー
３１                 制御部
３２            記憶部
３３            ＨＤＭＩ受信部
３４            映像信号処理部
３５            表示部
３６            増幅部
３７            ＤＳＰ
３８            スピーカー
【図１】
2013143706.tif 000003
【図２】
2013143706.tif 000004
【図３】
2013143706.tif 000005
【図４】
2013143706.tif 000006
【図５】
2013143706.tif 000007
【図６】
2013143706.tif 000008
【図７】
2013143706.tif 000009
【図８】
2013143706.tif 000010
【図９】
2013143706.tif 000011
【図１０】
2013143706.tif 000012
【図１１】
2013143706.tif 000013
【図１２】
2013143706.tif 000014
【図１３】
2013143706.tif 000015
【図１４】
2013143706.tif 000016
【図１５】
2013143706.tif 000017
【図１６】
2013143706.tif 000018